(57)【要約】【課題】本考案は、従来にない作用効果を発揮する画期的な融雪水量計測装置を提供することを目的とする。【解決手段】被計測領域Ｋにおいて融雪水量を計測するための融雪水量計測装置であって、前記被計測領域Ｋに配され降雪を受ける雪受け部１を有し、この雪受け部１には該雪受け部１で受けた融雪水を流下させて貯めるタンク部２が設けられ、このタンク部２には該タンク部２内の水の水位に基づいて前記雪受け部１から流下した水量を計測する水量計測部３が設けられたものである。【選択図】図１
0003216645.tif 000002
【実用新案登録請求の範囲】
【請求項１】
被計測領域において融雪水量を計測するための融雪水量計測装置であって、前記被計測領域に傾斜状に配され降雪を受ける雪受け部を有し、この雪受け部には、複数の通水孔を備えた通水性天板体が設けられるとともに、傾斜の最下端となる位置に排水口が設けられており、また、この雪受け部には前記通水性天板体の通水孔及び前記排水口を介して流下する融雪水を貯める円筒状容体から成るタンク部が設けられ、このタンク部には該タンク部内の水の水位に基づいて前記雪受け部から流下した水量を計測する下記の水量計測部が設けられ、また、前記タンク部には該タンク部内の水を排水するサイフォン排水部及びオーバーフロー用水導出口部が設けられ、更に、前記タンク部にはパイプを介して接続され該タンク部内に不凍液を供給する不凍液供給部が設けられ、前記タンク部及び前記不凍液供給部は地下に埋設されていることを特徴とする融雪水量計測装置。
記
前記タンク部内に設けられる水位センサーと、この水位センサーから得られる水位データを記録するデータロガーと、このデータロガーから得られるデータを処理する管理コンピュータから成る水量計測部。
【請求項２】
請求項１記載の融雪水量計測装置において、前記タンク部には該タンク部内の水を排水するポンプ排水部が設けられていることを特徴とする融雪水量計測装置。
【考案の詳細な説明】
【技術分野】
【０００１】
本考案は、融雪水量計測装置に関するものである。
【背景技術】
【０００２】
近年、地球温暖化の進行により各地でゲリラ豪雨や豪雪などの異常気象が頻発し、これに伴う土砂災害も数多く発生している。
【０００３】
例えば、土砂災害警戒区域に指定された地域は、その対策として市町村単位で土砂災害ハザードマップが作成され、地域住民に配布される。地域住民は、気象庁と県が発表する土砂災害警戒情報、市町村が発令する避難勧告や避難指示に従い、または、自ら自主的に避難することになる。
【０００４】
ところで、降雨状況と災害発生の危険性については、気象庁が発表する気象情報や気象庁と県により発表される土砂災害警戒情報があるが、気象情報は合成アメダスデータ（１ｋｍメッシュ）であり、また土砂災害警戒情報についても市町村単位の発令であるため、局所的なゲリラ豪雨まで対応しきれていない。
【０００５】
また、積雪の多い地域での土砂災害は、豪雨時以外にも融雪時に数多く発生するという特徴があるが、積雪期の降水量については、例えば降雪をヒーターで融かし、これを降雨に換算して計測することが一般的である。しかしながら、融雪期の災害を警戒する場合には、現在の降雪量（積雪の深さ）を計測するよりも、むしろ積雪が融けた融雪水がどれだけ地盤に浸透しているかということが重要である。
【０００６】
そこで、従来においても、例えば丘陵地や山間部などの土砂災害が起こる可能性のある地域に設けられ、積雪が融けた融雪水量を計測する水量計測装置（以下、従来例）が提案されている。
【０００７】
この従来例は、図８に図示したように土砂災害が起こる可能性のある地域（被計測領域）に設けられるコンクリート製のプール部51と、このプール部51の底部に設けられ該プール部51で受けた積雪Ｓが融けた融雪水Ｗを流下させる排水管部52とを有し、この排水管部52の途中位置には流量計53が設けられ、この流量計53に該流量計53を通過する融雪水量を計測する水量計測部54が設けられている。
【０００８】
従って、従来例は、プール部51で受けた積雪Ｓが融けた融雪水Ｗが該プール部51から流下して排水管部52を通過し、この排水管部52を通過する融雪水量を流量計53及び水量計測部54を介して計測することで、このプール部51を設けた地域（被計測領域）においてどれくらいの量の融雪水Ｗが地盤に浸透したかを換算して把握することができる。
【考案の概要】
【考案が解決しようとする課題】
【０００９】
しかしながら、従来例は、主に山間部などに設置されており、よって、流量計52が排水管部52内に入った動植物の遺骸や砂などで詰まることで作動せず計測不能になってしまうなどの問題点がある。
【００１０】
本考案者等は、前述した問題点に着目し、種々の実験・研究を繰り返し行った結果、従来にない作用効果を発揮する画期的な融雪水量計測装置を開発した。
【課題を解決するための手段】
【００１１】
添付図面を参照して本考案の要旨を説明する。
【００１２】
被計測領域Ｋにおいて融雪水量を計測するための融雪水量計測装置であって、前記被計測領域Ｋに傾斜状に配され降雪を受ける雪受け部１を有し、この雪受け部１には、複数の通水孔７ａを備えた通水性天板体７が設けられるとともに、傾斜の最下端となる位置に排水口６が設けられており、また、この雪受け部１には前記通水性天板体７の通水孔７ａ及び前記排水口６を介して流下する融雪水を貯める円筒状容体から成るタンク部２が設けられ、このタンク部２には該タンク部２内の水の水位に基づいて前記雪受け部１から流下した水量を計測する下記の水量計測部３が設けられ、また、前記タンク部２には該タンク部２内の水を排水するサイフォン排水部８及びオーバーフロー用水導出口部２ｂが設けられ、更に、前記タンク部２にはパイプ13を介して接続され該タンク部２内に不凍液を供給する不凍液供給部５が設けられ、前記タンク部２及び前記不凍液供給部５は地下に埋設されていることを特徴とする融雪水量計測装置に係るものである。
記
前記タンク部２内に設けられる水位センサー10と、この水位センサー10から得られる水位データを記録するデータロガー11と、このデータロガー11から得られるデータを処理する管理コンピュータ16から成る水量計測部。
【００１３】
また、請求項１記載の融雪水量計測装置において、前記タンク部２には該タンク部２内の水を排水するポンプ排水部４が設けられていることを特徴とする融雪水量計測装置に係るものである。
【考案の効果】
【００１４】
本考案は上述のように構成したから、前述した従来例に比し、融雪水の計測を良好に行うことができるなど、従来にない作用効果を発揮する画期的な融雪水量計測装置となる。
【図面の簡単な説明】
【００１５】
【図１】本実施例を示す説明断面図である。
【図２】本実施例の要部の説明図である。
【図３】本実施例の要部（別例）の説明図である。
【図４】本実施例の要部の説明図である。
【図５】本実施例の動作説明図である。
【図６】本実施例の動作説明図である。
【図７】本実施例の動作説明図である。
【図８】従来例の動作説明図である。
【考案を実施するための形態】
【００１６】
好適と考える本考案の実施形態を、図面に基づいて本考案の作用を示して簡単に説明する。
【００１７】
雪受け部１の融雪水は、該雪受け部１から流下してタンク部２で貯められる。このタンク部２内の水の水位に基づいて雪受け部１から流下した水の量を水量計測部３で計測する。
【００１８】
従って、タンク部２の水位をもとに計測する構造の為、前述した従来例のように排水管部を通過する水の量を計測する場合に比し、動植物の遺骸や砂土などが詰まるなどの問題が生じにくく、よって、良好に計測することができる。
【実施例】
【００１９】
本考案の具体的な実施例について図面に基づいて説明する。
【００２０】
本実施例は、被計測領域Ｋにおいて融雪水量を計測するための融雪水量計測装置であって、前記被計測領域Ｋに配され降雪を受ける雪受け部１を有し、この雪受け部１には該雪受け部１で受けた融雪水を流下させて貯めるタンク部２が設けられ、このタンク部２には該タンク部２内の水の水位に基づいて前記雪受け部１から流下した水量を計測する水量計測部３が設けられたものである。
【００２１】
以下、本実施例に係る構成各部について詳細な説明をする。
【００２２】
雪受け部１は、図１，２に図示したように適宜な金属製の部材（アルミ・ステンレスなど）で形成したものであり、底部１ａとこの底部１ａの周囲に立設される周壁部１ｂとからな成る平面視方形状（１〜３ｍ程度）の容体であり、周壁部１ｂには排水口６が設けられている。尚、排水口６を底部１ａに設けても良い。
【００２３】
また、雪受け部１内にして底部１ａの上面には、複数の支持部材20が設けられ、この支持部材20の上部に複数の通水孔７ａを備えた通水性天板体７が載置されている。
【００２４】
従って、通水性天板体７は底部１ａの上面に対して所定の間隙を介して配設されている。
【００２５】
尚、この通水性天板体７の上面に透水性のブロックやシートなどを敷設しても良い。
【００２６】
また、雪受け部１の排水口６には後述する貯水タンク２に接続する管体９が突設されている。
【００２７】
また、この雪受け部１における被計測領域Ｋへの配設は、底部１ａが地下に位置する程度に地下に埋設され、排水口６が最下端となるように傾斜状に配設される。
【００２８】
従って、この雪受け部１で受けた水Ｗは、底部１ａを流れて排水口６から排水される。
【００２９】
尚、雪受け部１は、必要に応じて他所への移動が簡易に行える。
【００３０】
図３は、雪受け部１を平面視円形状に設けた場合であり、雪受け部１を傾斜状に配設した際、周壁部１ｂが排水口６へ向けて傾斜しているため排水口６からの排水性が良好となる。
【００３１】
タンク部２は、図１に図示したように適宜な部材（アルミ、ステンレス、塩化ビニール製など）で形成した円筒状容体であり、高さ約６００ｍｍ、直径約３００ｍｍである。
【００３２】
また、タンク部２は、上部に水導入口部２ａと水導出口部２ｂが設けられている。
【００３３】
この水導入口部２ａには、雪受け部１から延設される管体９が接続されている。
【００３４】
従って、雪受け部１から流下する水は管体９を通過して水導入口部２ａからタンク部２内に導入される。
【００３５】
水導出口部２ｂには、ポンプ排水部４としてのポンプ装置４の排水管が配設される。尚、水導出口部２ｂはオーバーフロー用としても機能する。
【００３６】
このポンプ装置４は、後述するデータロガー11及び管理コンピュータ16に接続されて適宜制御され、水位センサー10により所定の水位を検知した際に作動し、タンク部２内の水位を低減するように構成されている。
【００３７】
また、タンク部２には、該タンク部２内の水Ｗの水位に基づいて雪受け部１から流下した水Ｗの量を自動的に定時に計測する水量計測部３が設けられている。
【００３８】
この水量計測部３は、図１に図示したように貯水タンク２内に配される水位センサー10と、この水位センサー10から得られる水位データを記録するデータロガー11と、このデータロガー11から得られるデータを処理する管理コンピュータ16（データセンター）とを具備したものである。
【００３９】
この管理コンピュータ16（データセンター）は、データロガー11から得られた情報から、所定時間の間に変化した貯水タンク２内の水位を基に該貯水タンク２に導入された水Ｗの量を計算するものであり、つまり、この貯水タンク２内に貯まる水の変化量から雪受け部１から流下した水Ｗの量が換算される。
【００４０】
また、データロガー11には無線信号送信部が設けられており、このデータロガー11で記録されたデータはこの無線信号送信部からインターネット回線を介して遠隔地の管理コンピュータ16（データセンター）に送信され集積・加工され、この管理コンピュータ16（データセンター）からインターネット回線を介して現場管理者等の端末18に情報や警告が発信される（図４参照）。尚、水量計測部３を構成する管理コンピュータ16は被計測領域Ｋに設けても良い。符号17はインターネット回線の基地局である。
【００４１】
また、タンク部２には、該タンク部２内の水を排水するサイフォン排水部８が設けられている。
【００４２】
従って、万一、ポンプ排水部４が作動しなかった場合でも、水導出口部２ｂとともにタンク部２内の水Ｗを排水する。
【００４３】
また、タンク部２は後述する不凍液供給部５とともに地下（地表面から約４０〜５０ｃｍの深さ位置）に埋設される。尚、タンク部２及び不凍液供給部５は、必要に応じて他所への移動が簡易に行える。
【００４４】
不凍液供給部５は、図１に図示したように適宜な金属製の部材（アルミ・ステンレスなど）で形成した円筒状容体であり、高さ約６００ｍｍ、直径約３００ｍｍである。
【００４５】
また、不凍液供給部５は、所定量の不凍液Ｌが収納されており、タンク部２と電磁弁12を備えたパイプ13を介して接続されている。
【００４６】
この電磁弁12はデータロガー11及び管理コンピュータ16に接続されて前述したポンプ装置４と同様に適宜制御され、この電磁弁12の開放によりタンク部２内に不凍液Ｌが供給される。
【００４７】
従って、この不凍液Ｌが供給されることでタンク部２内の水Ｗが凍結することはない。
【００４８】
また、不凍液供給部５は、前述したように貯水ポンプ部２とともに地下に埋設される。
【００４９】
また、本実施例では、ポンプ装置４，水位センサー10及びデータロガー11には太陽光発電装置14を有するバッテリー15が接続されている。
【００５０】
従って、本実施例に係る水量計測装置は年中稼働できる。
【００５１】
符号19はデータロガー11やバッテリー15などの被計測領域Ｋの地上に配される装置類を覆う覆い体（屋根）である。
【００５２】
以上の構成から成る本実施例に係る水量計測装置の動作状態について説明する。
【００５３】
雪受け部１で受けた積雪が融けた融雪水Ｗは、雪受け部１から流下してタンク部２で貯められる（図５参照）。
【００５４】
このタンク部２内の水Ｗの水位に基づいて雪受け部１から流下した水Ｗの量が水量計測部３で計測され、インターネット回線を介して現場管理者等の端末18に情報や警告が発信される。
【００５５】
また、タンク部２内が所定の水位以上になった際には、ポンプ排水部４で排水され（図６参照）、更に、電磁弁12が開放して不凍液が供給される（図７参照）。尚、タンク部２内の水Ｗの排水は、オーバーフロー及びサイフォン排水部８によっても行われる。
【００５６】
本実施例は上述のように構成したから、雪受け部１を設けた地域（被計測領域）においてどれくらいの量の融雪水Ｗが地盤に浸透したかを換算して把握することができ、また、本実施例は、タンク部２の水位をもとに計測する構造の為、前述した従来例のように排水管部を通過する水の量を計測する場合に比し、動植物の遺骸や砂土などが詰まるなどの問題が生じにくく、よって、良好に計測することができる。
【００５７】
また、本実施例は、タンク部２には、該タンク部２内に不凍液Ｌを供給する不凍液供給部５が設けられており、寒冷地においても確実に作動することができる。
【００５８】
また、本実施例は、タンク部２には、該タンク部２内の水を排水するポンプ排水部４が設けられているから、確実に水量を計測するに適した状態が得られることになる。
【００５９】
また、本実施例は、雪受け部１は、底部１ａとこの底部１ａの周囲に立設される周壁部１ｂとから成る容体であるから、簡易構造であり被計測領域Ｋへの設置作業が決めて良好に行え、しかも、必要に応じて他所への移動も簡易に行える。
【００６０】
また、本実施例は、雪受け部１内にして底部１ａの上方位置には複数の通水孔７ａを備えた通水性天板体７が設けられているから、良好に融雪水Ｗ若しくは降水Ｗを集水することができる。
【００６１】
また、本実施例は、タンク部２には、該タンク部２内の水を排水するサイフォン排水部８が設けられているから、特に動力なしでタンク部２の水位を適正に保つことができる。
【００６２】
また、本実施例は、タンク部２及び不凍液供給部５は地下に埋設されるものであるから、タンク部２内の水Ｗが凍結しにくい状態となり、確実にその機能を発揮することになる。
【００６３】
尚、本考案は、本実施例に限られるものではなく、各構成要件の具体的構成は適宜設計し得るものである。
【符号の説明】
【００６４】
Ｋ  被計測領域
１  雪受け部
２  タンク部
２ｂ  オーバーフロー用水導出口部
３  水量計測部
４  ポンプ排水部
５  不凍液供給部
６  排水口
７  通水性天板体
７ａ  通水孔
８  サイフォン排水部
10  水位センサー
11  データロガー
13  パイプ
16  管理コンピュータ
【図１】
0003216645.tif 000003
【図２】
0003216645.tif 000004
【図３】
0003216645.tif 000005
【図４】
0003216645.tif 000006
【図５】
0003216645.tif 000007
【図６】
0003216645.tif 000008
【図７】
0003216645.tif 000009
【図８】
0003216645.tif 000010